(57)【要約】【課題】低消費電力モードに移行しているときのコンデンサ両端の電圧レベルを速やかに低下させることにより、再起動時の安定化を図ることができる電子制御装置および画像形成装置を提供することを課題とする。【解決手段】動作部の消費電力を低減するための低消費電力モードを有する電子制御装置であって、出力両端にコンデンサが並列接続され、低消費電力モードの動作時に、動作部への電力供給を停止する第１の電力供給部と、低消費電力モードの動作／非動作に関わらず電力供給を行う第２の電力供給部と、第２の電力供給部から電力が供給され、低消費電力モードの動作時に、第１の電力供給部の出力電圧が所定電圧値より低下したか否かを判定する電圧監視部と、電圧監視部により、第１の電力供給部の出力電圧が所定電圧値より低下したと判定されたとき、第１の電力供給部の出力両端を負荷部を介して接地させる開閉部とを備える。【選択図】図１
2012056140.tif 000002
【特許請求の範囲】
【請求項１】
動作部の消費電力を低減するための低消費電力モードを有する電子制御装置であって、
出力両端にコンデンサが並列接続され、前記低消費電力モードの動作時に、前記動作部への電力供給を停止する第１の電力供給部と、
前記低消費電力モードの動作／非動作に関わらず電力供給を行う第２の電力供給部と、
前記第２の電力供給部から電力が供給され、前記低消費電力モードの動作時に、前記第１の電力供給部の出力電圧が所定電圧値より低下したか否かを判定する電圧監視部と、
前記電圧監視部により、前記第１の電力供給部の出力電圧が前記所定電圧値より低下したと判定されたとき、前記第１の電力供給部の出力両端を負荷部を介して接地させる開閉部と
を備えることを特徴とする電子制御装置。
【請求項２】
前記電圧監視部は、当該電子制御装置に前記低消費電力モードを解除する割込み信号が入力されたとき、前記開閉部に開放させることを特徴とする請求項１に記載された電子制御装置。
【請求項３】
前記負荷部は、ファンであることを特徴とする請求項１または請求項２に記載された電子制御装置。
【請求項４】
請求項１ないし請求項３のいずれか１項に記載された電子制御装置と、前記動作部とによって実現される画像形成装置であって、
前記電子制御装置は、画像データが入力される入力部をさらに備え、
前記動作部は、その画像を記録媒体に形成する画像形成部であること
を特徴とする画像形成装置。
【請求項５】
前記電子制御装置は、前記第１の電力供給部から電力を供給され、前記入力部に入力された画像データに画像処理を行い、前記動作部に出力する画像処理部をさらに備え、
前記所定電圧値は、前記画像処理部のリセット電圧以下であることを特徴とする請求項４に記載された画像形成装置。
【発明の詳細な説明】
【技術分野】
【０００１】
本発明は、節電機能を実現させる低消費電力モードを有する電子制御装置および画像形成装置に関する。
【背景技術】
【０００２】
近年、環境などへの配慮から画像形成装置などのＯＡ機器に対して、消費電力を低減させるために節電機能（省エネルギ機能）の搭載が求められている。このような節電機能は、使用者による操作がない状態、または上位装置からの受信データがない状態で所定の設定時間が経過すると、画像形成装置の一部または全部の電源が自動的に遮断される機能である。この節電機能には、画像形成装置の印刷部のヒータ、モータやファンなどの電源を遮断するパワーセーブモードや、さらに節電が進んで、画像形成装置の操作部とホストとの通信に使用するための最小限の回路以外の電源を遮断するスタンバイモード（スリープモード）などがある。
【０００３】
スタンバイモードは、必要最小限の電源以外のほぼすべての電源を遮断するため、パワーセーブモードよりもさらに節電効果が優れている。ところが、画像形成装置のほぼすべての電源を遮断するスタンバイモードは、電源が自動遮断されても、すぐには回路内の電圧が低下しないことがある。特に、電源回路の２次側に大容量のコンデンサを備えた電子制御装置や印刷装置などでは、そのコンデンサの充放電に時間がかかるため、電源が自動遮断された後でも、しばらくの間は回路内に中途半端に電圧が残っている。その、中途半端に電圧が残っている期間は、電子制御装置や画像形成装置の動作が不安定になるおそれがある。そのため、一般的には、スタンバイモードは、電源回路を遮断する順序を変えたり、電源回路全体の電圧が十分に低下するまで待つなどの対策がとられている。
【０００４】
例えば、ホスト装置と印刷装置（画像形成装置）との間のデータ通信を制御する第１の制御部と、印刷装置で印刷処理動作を行わせるための第２の制御部との２つの制御部を備えた印刷装置において、第１の制御部における電源制御信号を第２の制御部の電源制御信号によって常時監視し、第１の制御部の電圧が所定のレベルまで低下するのを待ってからスリープモードへ移行する電源制御方法が開示されている（例えば、特許文献１参照）。この技術によれば、印刷装置の印刷エンジンなどの動作部（駆動系）の制御を行う第２の制御部の電源電圧を十分に低下させてから、印刷装置の制御部（制御系）の制御を行う第１の制御部の電源を遮断させることにより、スリープモードへの移行時において印刷装置を安定動作させることを実現することが可能となる。
【先行技術文献】
【特許文献】
【０００５】
【特許文献１】特開２００７−５５０２５号公報
【発明の概要】
【発明が解決しようとする課題】
【０００６】
しかしながら、前記特許文献１に開示されたようなスリープモード（スタンバイモード）へ移行する印刷装置の電源制御方法であっても、以下に述べるような幾つかの問題が残る。すなわち、第１の制御部の電源が切られた後に、第１の制御部の電圧を第２の制御部によって監視・制御するスリープモードへ移行する状態において、電源回路のコンデンサ容量が大きい場合には、電圧が低下するのに時間がかかる。
このとき、電圧が十分に低下しない状態まま、再度、第１の制御部の電源が投入されると、第１の制御部によって制御されるデータ通信の回路が初期状態にリセットされないまま、データ通信の回路が再起動されるおそれがある。このような電圧の不安定な状態でデータ通信の回路が再起動されると、印刷装置が誤作動するおそれがある。
そこで、このような電圧の不安定な状態で起こる印刷装置の誤動作を防止する方法として、制御部の電圧が十分に低下するまで待機してから再起動を実行する方法がある。
ところが、スリープモードに移行しているタイミングで再び上位装置から印刷データ（印刷ジョブ）が送信されると、すぐに印刷装置を起動しなければならないときに、電圧が十分に低下するのを待ってから再起動に移行するのでは、印刷再開までの時間が長くなってしまうので印刷装置としての使い勝手が悪くなる。
このような不具合は、スリープモードに限らず、前述のパワーセーブモードにおいても発生するおそれがある。
【０００７】
ここで、本明細書では、パワーセーブモードとスリープモード（スタンバイモード）とを含めて広義の意味での『低消費電力モード』とし、それ以外の画像形成装置が通常の消費電力で動作を行うモードを『通常モード』と言うことにする。
この低消費電力モードに移行したタイミングでは、画像形成装置の制御部として用いられる電子制御装置の電源電圧が不安定なレベルになり、リセットレベルが変化しているおそれがある。このときに、印刷データなどの割込み信号によって画像形成装置を再起動させると、その画像形成装置が誤動作するおそれがある。このような不具合を回避するためには、画像形成装置の制御部として用いられる電子制御装置の電源電圧が所定のレベル以下になるまで待機しなければならないので、画像形成装置としての使い勝手がよくない。
【０００８】
本発明は、以上のような問題を解決するためになされたものであり、低消費電力モードに移行しているときのコンデンサ両端の電圧レベルを速やかに低下させることにより、再起動時の安定化を図ることができる電子制御装置および画像形成装置を提供することを課題とする。
【課題を解決するための手段】
【０００９】
前記課題を解決するために、本発明の電子制御装置は、動作部の消費電力を低減するための低消費電力モードを有する電子制御装置において、出力両端にコンデンサが並列接続され、前記低消費電力モードの動作時に、前記動作部への電力供給を停止する第１の電力供給部と、前記低消費電力モードの動作／非動作に関わらず電力供給を行う第２の電力供給部と、前記第２の電力供給部から電力が供給され、前記低消費電力モードの動作時に、前記第１の電力供給部の出力電圧が所定電圧値より低下したか否かを判定する電圧監視部と、前記電圧監視部により、前記第１の電力供給部の出力電圧が前記所定電圧値より低下したと判定されたとき、前記第１の電力供給部の出力両端を負荷部を介して接地させる開閉部とを備える。
【００１０】
この構成によれば、電圧監視部が、低消費電力モードの動作時において、第１の電力供給部の出力両端の電圧が所定電圧値（つまり、電子制御装置の安定動作電圧）より低下したか否かを判定し、その判定結果に基づいて開閉部の接続を行い、そのコンデンサに蓄積された電荷を放電させる。
これにより、低消費電力モードで動作し始めた第１の電力供給部が、不安定な電圧を出力している時間帯において、負荷部を介してコンデンサを急速放電させることができる。
また、これにより、電圧が安定して供給されない時間帯を短縮することができるので、次回電源電圧が立ち上がったときに、リセット電圧以下になっている確率が上がる。
【発明の効果】
【００１１】
本発明によれば、低消費電力モードの動作時に、電源回路に並列に挿入されたコンデンサに蓄積された電荷を、低消費電力モードにおける電圧の立下り時のみにおいて負荷部に消費させて電圧の立下り時間を短縮させることにより、安定した電源電圧が印加されるまでの時間を短縮することができる。そのため、制御部は、安定した電源電圧が印加されないために処理できず、待たせていたデータの処理を行うまでの時間（データの待ち時間）を短縮させることができる。
【図面の簡単な説明】
【００１２】
【図１】本発明の第１実施形態の画像形成装置としての印刷装置の一例を示す構成図である。
【図２】制御部の内部構成を示すブロック図である。
【図３】印刷部の概略断面図である。
【図４】電源部に入出力される信号および電源を示す図である。
【図５】印刷装置が備える制御部の低消費電力モードでの処理動作を示すフローチャートである。
【図６】印刷装置が備える制御部の通常モードでの処理動作を示すフローチャートである。
【図７】電源部の動作を示すタイムチャートである。
【図８】本発明の画像形成装置に適用される第２実施形態の印刷装置の一例を示す構成図である。
【発明を実施するための形態】
【００１３】
以下、本発明の幾つかの実施形態について図面を参照しながら詳細に説明する。本実施形態では、一例として画像形成装置を取り上げて、その画像形成装置が低消費電力モードに移行しているときに制御部（制御系）の電圧レベルを速やかに低下させる方法について説明する。なお、各実施形態を説明するための全図において、同一要素は原則として同一の符号を付し、その繰り返しの説明は省略することにする。
【００１４】
《第１実施形態》
図１は、本発明の第１実施形態の画像形成装置としての印刷装置の一例を示す構成図である。この印刷装置２は、パーソナルコンピュータ（以下、ＰＣという）１とＬＡＮ（Local Area Network）ケーブル３を介して接続されている。そして、ＰＣ１からは、画像データＧｄを含む印刷データが印刷装置２に送信される。
【００１５】
印刷装置２は、電子制御装置１００と、印刷部５とを備える。そして、電子制御装置１００は、制御部４と、電源部６（２４Ｖ電源部６１（第１の電力供給部）、第１の５Ｖ電源部６２（第１の電力供給部）、第２の５Ｖ電源部６３（第２の電力供給部））と、コンパレータ７（電圧監視部２００）と、ＡＮＤ回路８（電圧監視部２００）と、Ｎチャネル型のＭＯＳＦＥＴ９（開閉部）と、一端がＭＯＳＦＥＴ９のソースに接続されかつ他端がグラウンドに接続（接地）された抵抗器１０（負荷部）と、電源部６（２４Ｖ電源部６１）から出力される電圧Ｖ１を平滑化させるためのコンデンサ１１と、コンパレータ７と接続してコンパレータ７に基準電圧Ｖ０（所定電圧値）を入力する電池１２（電圧監視部２００）と、２４Ｖ電源部６１からの出力電圧Ｖ１を分圧してコンパレータ７に分圧電圧Ｖ１１を入力する抵抗器１３，１４（電圧監視部２００）とを有している。そして、ＭＯＳＦＥＴ９は、ソースが抵抗器１０を介してグラウンドに接続（接地）され、ゲートがＡＮＤ回路８の出力端子に接続され、ドレインが第１の電力供給部の２４Ｖ電源部６１に接続されている。
なお、コンデンサ１１（特に、制御部４の画像処理部２９（図２参照）に配置されているコンデンサ）は、通常、印刷装置２の回路では、並列バイパスコンデンサとして回路内に分散して配置されている。ここでは、説明を容易にするために、それら並列バイパスコンデンサをコンデンサ１１として一つにまとめて表示している。
【００１６】
制御部４は、印刷制御信号Ｓｇ１やパワーセーブ−Ｐ信号Ｓｇ５などを出力して印刷装置２全体の制御を行う制御部である。詳細な説明は後記する。
印刷部５は、画像データＧｄおよび印刷制御信号Ｓｇ１を制御部４から取得して、印刷制御信号Ｓｇ１に基づき、印刷機能を実行して、画像データＧｄから抽出した画像を、紙などの記録媒体に形成する印刷部である。
【００１７】
（電源部６）
電源部６は、印刷装置２の各構成部に電力を供給するものであり、最大２４Ｖの直流電圧を出力し、印刷部５に電力を供給する２４Ｖ電源部６１と、２４Ｖ電源部６１から出力される電圧を降圧して、最大５Ｖの直流電圧を出力し、制御部４の画像処理部２９（図２参照）に電力を供給する第１の５Ｖ電源部６２と、常に５Ｖの直流電圧を出力し、制御部４の主要制御部２０およびＬＡＮ  Ｉ／Ｆ２１（図２参照）に電力を供給する第２の５Ｖ電源部６３とを備える。
２４Ｖ電源部６１および第１の５Ｖ電源部６２は、制御部４から入力されるパワーセーブ−Ｐ信号Ｓｇ５（電源制御信号）に応じて、パワーセーブ−Ｐ信号Ｓｇ５が“Ｌ（Low）”レベルのとき、電源をＯＮにし、“Ｈ（High）”レベルのとき、電源をＯＦＦにする。
また、第２の５Ｖ電源部６３は、パワーセーブ−Ｐ信号Ｓｇ５に係わらず、常に、５Ｖの電圧を出力する。
【００１８】
（コンパレータ７）
コンパレータ７は、基準電圧Ｖ０と分圧電圧Ｖ１１とを比較し、分圧電圧Ｖ１１が基準電圧Ｖ０より高いときは“Ｌ”レベルのコンパレータ出力信号Ｓｇ３を出力し、分圧電圧Ｖ１１が基準電圧Ｖ０より低いときは“Ｈ”レベルのコンパレータ出力信号Ｓｇ３を出力する。
ここで、基準電圧Ｖ０は、２４Ｖ電源部６１が出力する電圧Ｖ１の状態に基づく値であり、コンパレータ７において、分圧電圧Ｖ１１が基準電圧Ｖ０より低いとき、２４Ｖ電源部６１から安定した電圧が出力されていないことを示す。
【００１９】
（ＡＮＤ回路８）
ＡＮＤ回路８は、コンパレータ７からのコンパレータ出力信号Ｓｇ３と、制御部４からのパワーセーブ−Ｐ信号Ｓｇ５との論理演算を行い、その結果の論理信号（ゲート信号Ｓｇ４）をＭＯＳＦＥＴ９に出力する。
ここで、ＡＮＤ回路８は、コンパレータ出力信号Ｓｇ３およびパワーセーブ−Ｐ信号Ｓｇ５がともに“Ｈ”レベルであるときに、ＡＮＤ回路８は、ゲート信号Ｓｇ４を“Ｈ”レベルで出力する。これにより、Ｎチャネル型のＭＯＳＦＥＴ９はＯＮする。
【００２０】
なお、特に図示していないが、コンパレータ７およびＡＮＤ回路８には、第２の５Ｖ電源部６３と接続し、常に、５Ｖの電圧が印加されている。したがって、コンパレータ７に入力される電池１２の基準電圧Ｖ０は、５Ｖより低い電圧である。
同様に、２４Ｖ電源部６１の出力電圧Ｖ１（最大２４Ｖ）が印加され、抵抗器１３，１４によって分圧されて、コンパレータ７に入力される最大電圧（分圧電圧Ｖ１１）も、５Ｖより低い電圧となる。
【００２１】
（ＭＯＳＦＥＴ９）
Ｎチャネル型のＭＯＳＦＥＴ９は、ＡＮＤ回路８から入力されるゲート信号Ｓｇ４が“Ｌ”レベルである場合、ＯＦＦとなり、一方、ゲート信号Ｓｇ４が“Ｈ”レベルである場合、ＯＮとなる。このＭＯＳＦＥＴ９は、ＯＮの場合に、電源部６１と印刷部５とを接続する電源回路を、抵抗器１０を介して接地させる。このとき、２４Ｖ電源部６１および第１の５Ｖ電源部６２は、起動が停止しているので、コンデンサ１１の電荷が急速に放電される。
【００２２】
ここで、印刷装置２の各要素間を伝送するデータや信号を説明する。
画像データＧｄは、ＰＣ１（図１）から送信された印刷データに含まれている。印刷制御信号Ｓｇ１は、ＰＣ１から送信された印刷データに含まれる印刷指示に基づき、制御部４が印刷部５を制御して印刷機能を実行させる信号である。コンパレータ出力信号Ｓｇ３は、コンパレータ７が出力する“Ｈ”または“Ｌ”レベルの信号である。ゲート信号Ｓｇ４は、ＡＮＤ回路８が出力する論理信号であって、ＭＯＳＦＥＴ９の動作をＯＮ／ＯＦＦさせる信号である。パワーセーブ−Ｐ信号Ｓｇ５は、制御部４が電源部６に出力して、電源部６（２４Ｖ電源部６１および第１の５Ｖ電源部６２）をＯＮ／ＯＦＦさせる信号である。
【００２３】
図１に示すような構成により、制御部４は、低消費電力モード時において、“Ｈ”レベルのパワーセーブ−Ｐ信号Ｓｇ５を電源部６およびＡＮＤ回路８へ出力する。これにより、２４Ｖ電源部６１はＯＦＦとなり、２４Ｖ電源部６１の出力電圧Ｖ１が基準電圧Ｖ０以下の電圧値となる。また、その２４Ｖ電源部６１から出力される電圧Ｖ１を降圧して出力する第１の５Ｖ電源部６２もＯＦＦとなる。
そして、コンパレータ７は、２４Ｖ電源部６１の出力電圧Ｖ１が、基準電圧Ｖ０以下の電圧値となり、不安定な電圧レベルであると判定し、ＡＮＤ回路８は“Ｈ”レベルのゲート信号Ｓｇ４をＭＯＳＦＥＴ９に出力する。これにより、ＭＯＳＦＥＴ９はＯＮする。その結果、２４Ｖ電源部６１と接続するコンデンサ１１は、蓄積した電荷を抵抗器１０を介して放電する。
以上の動作により、２４Ｖ電源部６１の出力電圧Ｖ１は、急速に０Ｖ近辺に至るまで低下する。また、２４Ｖ電源部６１の出力電圧Ｖ１を降圧して出力する第１の５Ｖ電源部６２の出力電圧Ｖ２も同様に、急速に０Ｖ近辺に至るまで低下する。
これにより、印刷装置２は、大容量のコンデンサ（コンデンサ１１）を備えていても、『通常モード』から『低消費電力モード』で動作が開始されたときに、コンデンサ１１が蓄積した電荷を急速に放電するため、電源をＯＦＦにしてから、短時間で、印刷装置２の各構成部に電圧を印加する電圧を０Ｖ近辺に至るまで低下させることができる。
【００２４】
図２は、図１に示す制御部の内部構成を示すブロック図である。
図２において、制御部４は、ＬＡＮケーブル３を介して上位装置であるＰＣ１（図１）と通信可能に接続するＬＡＮ  Ｉ／Ｆ（インタフェース）２１と、制御部４の各要素に制御信号を出力するＣＰＵ（Central Processing Unit）２２と、データやプログラムを記憶するフラッシュＲＯＭ（Read Only Memory）２４と、ＰＣ１から受信した印刷データ（画像データＧｄを含む）を記憶するＲＡＭ（Random Access Memory）２５と、ＣＰＵ２２からの要求に応じて、フラッシュＲＯＭ２４やＲＡＭ２５からデータやプログラムの読み出し（取得）や書き込み（記憶）を行うメモリコントローラ２３と、印刷部５（図１）と通信可能に接続され、ＣＰＵ２２からの要求に応じて、印刷制御信号Ｓｇ１を印刷部５に出力するＦＩＦＯ（First In First Out）回路２６および、画像データＧｄを印刷部５に出力する画像処理部２９と、セット／リセット機能付きのフリップフロップ回路２７とを有している。
そして、ＬＡＮ  Ｉ／Ｆ２１と、ＣＰＵ２２と、メモリコントローラ２３と、ＦＩＦＯ回路２６と、画像処理部２９とが、バス２８を介して接続されている。
【００２５】
ここで、ＣＰＵ２２と、メモリコントローラ２３と、フラッシュＲＯＭ２４と、ＲＡＭ２５と、ＦＩＦＯ回路２６とからなる主要制御部２０、およびＬＡＮ  Ｉ／Ｆ２１は、第２の５Ｖ電源部６３から電力Ｖ３が供給される。そして、画像処理部２９は、第１の５Ｖ電源部６２から電力Ｖ２が供給される。
【００２６】
なお、フラッシュＲＯＭ２４は印刷処理に関するプログラムを格納し、ＲＡＭ２５はＰＣ１（図１）からの印刷データ（画像データＧｄを含む）を保存する機能を備えている。
また、画像処理部２９は、画像データＧｄをＲＡＭ２５から取得して、印刷装置２の印刷機能に応じてラスタライズする。そして、画像処理部２９は、その画像データＧｄを一旦格納するバッファを備えることで、バッファに格納された画像データＧｄを、図１に示す印刷装置２の印刷速度に同期して印刷部５に出力することができる。
【００２７】
次に、制御部４にて処理されるデータや信号を図２を用いて説明する。
印刷制御信号Ｓｇ１はＦＩＦＯ回路２６により印刷部５に出力され、画像データＧｄは画像処理部２９により印刷部５に出力される。ＰＣ１からＬＡＮ  Ｉ／Ｆ２１に入力された印刷データやデータ入力割り込み信号Ｓｇ１２は、ＬＡＮ  Ｉ／Ｆ２１から、セット／リセット機能付きのフリップフロップ回路２７に出力される。また、パワーセーブ−Ｎ信号Ｓｇ１３（電源制御信号）は、ＣＰＵ２２からフリップフロップ回路２７に出力される。
【００２８】
フリップフロップ回路２７は、入力信号が、パワーセーブ−Ｎ信号Ｓｇ１３である場合、「セット処理」をする。「セット処理」をすることにより、フリップフロップ回路２７は、“Ｈ”レベルのパワーセーブ−Ｐ信号Ｓｇ５（電源制御信号）を電源部６およびＡＮＤ回路８へ出力する。これにより、電源部６の２４Ｖ電源部６１と第１の５Ｖ電源部６２はＯＦＦ（電力供給停止）となる。その結果、２４Ｖ電源部６１および第１の５Ｖ電源部６２が出力する電圧は０Ｖ近辺まで立ち下がる。
一方、フリップフロップ回路２７は、入力信号が、データ入力割り込み信号Ｓｇ１２である場合、「リセット処理」をする。「リセット処理」をすることにより、フリップフロップ回路２７は、“Ｌ”レベルのパワーセーブ−Ｐ信号Ｓｇ５を電源部６へ出力する。これにより、電源部６の２４Ｖ電源部６１と第１の５Ｖ電源部６２とはＯＮ（電力供給開始）となる。その結果、２４Ｖ電源部６１は電圧を出力し、最大２４Ｖまで立ち上がり、第１の５Ｖ電源部６２は電圧を出力し、最大５Ｖまで立ち上がる。これにより、制御部４が備える画像処理部２９もリセットされる。
【００２９】
図３は、電子写真法を用いた印刷部の概略断面図である。
印刷部５は、図１に示すように制御部４から画像データＧｄおよび印刷制御信号Ｓｇ１が入力され、紙などの記録媒体３３に画像を形成する。この印刷部５は、電子写真法、ドットインパクトや、インクの噴射などによって、トナーやインクを記録媒体３３上に転写および定着させるものであれば、どのような方法であってもよい。ここでは、一例として、電子写真法を用いた印刷部５について説明する。
【００３０】
図３において、印刷部５は、現像装置３１と、定着器３２と、記録媒体３３と、転写ローラ３４と、用紙搬送ローラ３５ａ、３５ｂ、３５ｃとを備えている。印刷部５は、概略構成され、制御部４からの画像データＧｄおよび印刷制御信号Ｓｇ１により、印刷部５が印刷処理を実行する。なお、転写ローラ３４は、現像装置３１の感光ドラム３１ａに対向して配設され、現像されたトナー像を搬送された記録媒体３３に転写する。
【００３１】
現像装置３１は、トナー３１ｂが収容されるトナーカートリッジ３１ｃ、ＬＥＤヘッド３１ｄにより静電潜像が形成される感光ドラム３１ａ、この感光ドラム３１ａに形成された静電潜像をトナー像として顕像化する、感光ドラム３１ａに対向して配置される回転可能な現像ローラ３１ｅ、トナーカートリッジ３１ｃに貯蔵されているトナー３１ｂを現像ローラ３１ｅに移動・搬送させる供給ローラ３１ｆ、感光ドラム３１ａを帯電させる帯電ローラ３１ｇ、現像ローラ３１ｅ上に供給されたトナー３１ｂを薄層化する現像ブレード３１ｈ、転写されずに感光ドラム３１ａ上に残留したトナー３１ｂを掻き取り、回収するためのクリーニングブレード３１ｉ、このクリーニングブレード３１ｉにより掻き落とされた廃トナーを回収容器に搬送するためのスクリューなどの部材３１ｊ、および、現像ローラ３１ｅの周囲の空間を密封するシール材３１ｋが、その内部に収められている。
【００３２】
ここで、感光ドラム３１ａ、現像ローラ３１ｅ、供給ローラ３１ｆおよび帯電ローラ３１ｇは、それぞれ図示する矢印方向に回転する。また、記録媒体３３は矢印３３ａ、３３ｂ、３３ｃ、３３ｄの方向へ搬送される。転写ローラ３４は、感光ドラム３１ａに形成されたトナー像を記録媒体３３に転写するためのローラである。記録媒体３３に転写されたトナー像は、定着器３２によって記録媒体３３に定着される。
【００３３】
ＬＥＤヘッド３１ｄは、複数のＬＥＤが直線状に配列されたものであり、印刷パターンにしたがってＬＥＤを選択的に発光させることにより、感光ドラム３１ａの表面を露光して静電潜像を形成する。この感光ドラム３１ａは、金属パイプの導電性支持体と光導電層とを備えて構成され、この光導電層は電荷発生層および電荷輸送層を順次積層した有機系感光体で形成されている。
帯電ローラ３１ｇは、金属シャフトを回転軸とし、弾性層を金属シャフトの外層に被覆したものであり、感光ドラム３１ａを帯電させる。
【００３４】
トナー３１ｂは、結着樹脂（キャリア）としてポリエステル樹脂が用いられ、内部添加剤として、帯電制御材、離型剤、着色剤が用いられ、外部添加剤としてシリカなどが用いられる。
現像ローラ３１ｅは、感光ドラム３１ａに形成された静電潜像にトナー３１ｂを付着させ、静電潜像を可視像化してトナー像を形成する。現像装置３１は、供給ローラ３１ｆと現像ローラ３１ｅとにバイアス電圧を印加して、電界の作用によってトナー３１ｂを現像ローラ３１ｅに移動させる。
【００３５】
定着器３２は、加熱ローラ３２ａと定着ローラ３２ｂとが互いに対向して配置され、転写ローラ３４によって、現像装置３１により記録媒体３３に転写されたトナー像を加熱・圧着して、その記録媒体３３に定着させる。加熱ローラ３２ａは、例えば、ハロゲンランプが内蔵されており、精密に温度制御される。また、加熱ローラ３２ａと定着ローラ３２ｂとの熱容量は大きく、記録媒体３３などに熱が移動しても温度低下しないように構成されている。
【００３６】
かかる構成において、帯電ローラ３１ｇが感光ドラム３１ａの表面を一様に帯電させ、ＬＥＤヘッド３１ｄが一様に帯電された感光ドラム３１ａの表面を選択的に露光し、その感光ドラム３１ａの表面に静電潜像を形成する。なお、露光手段としては、単一の光源を回転するミラーなどにより走査するレーザスキャナ、または複数の光源を備えたＬＥＤアレイなどが用いられるが、ここではＬＥＤヘッド３１ｄを用いる。
【００３７】
そして、現像ローラ３１ｅが、ＬＥＤヘッド３１ｄによって形成された静電潜像にトナーを付着させて現像させ、さらに、転写ローラ３４によって、現像されたトナー像を紙などの記録媒体３３に転写させる。その後、定着器３２によって、記録媒体３３に転写されたトナー像を熱や圧力により、その記録媒体３３に定着させる。
【００３８】
このようにして、印刷部５は、制御部４から入力された画像データＧｄおよび印刷制御信号Ｓｇ１に基づき、帯電ローラ３１ｇで一様に帯電された感光ドラム３１ａの表面を、ＬＥＤヘッド３１ｄにより選択的に露光して静電潜像を形成する。そして、現像ローラ３１ｅ、転写ローラ３４、および定着器３２により、記録媒体３３には、画像データＧｄに基づく画像が形成される。
【００３９】
図４は、図１に示す電源部に入出力される信号および電源を示す図である。
図４に示すように、電源部６は、商用電源ＡＣから交流電圧が入力されるとともに、制御部４からパワーセーブ−Ｐ信号Ｓｇ５を受信する。そして、電源部６は、交流電圧を直流電圧に変換して最大２４Ｖの電圧を出力する電源（２４Ｖ電源部６１）と、その２４Ｖ電源部６１から出力される電圧を変換（降圧）して最大５Ｖの電圧を出力する電源（第１の５Ｖ電源部６２）と、交流電源ＡＣを直流電源に変換して、常に５Ｖの電圧を出力する電源（第２の５Ｖ電源部６３）として機能する。
ここで、２４Ｖ電源部６１および第１の５Ｖ電源部６２は、パワーセーブ−Ｐ信号Ｓｇ５によって、電力供給のＯＮ／ＯＦＦを行う。また、第２の５Ｖ電源部６３は、制御部４がＰＣ１と通信を行うために、常時、制御部４に電力を供給する。
【００４０】
［電子制御装置の処理動作］
次に、図１に示す印刷装置２（画像形成装置）が備える電子制御装置１００の処理動作を、図５に示すフローチャートを用いて説明する。
【００４１】
（低消費電力モード）
最初に、低消費電力モードであるときの処理動作について説明する。
『低消費電力モード』であるときに、ＰＣ１が、印刷ジョブを含むデータを複数のパケットデータにして、印刷装置２に送信する。そして、ＬＡＮ  Ｉ／Ｆ２１がデータ（パケットデータ）を受信したときに（ステップＳ１０１）、ＣＰＵ２２は、『低消費電力モード』から『通常モード』への移行を行うための割り込み処理を行う。
【００４２】
このとき、ＣＰＵ２２は、『低消費電力モード』から『通常モード』への移行を次のように行う。
まず、ＣＰＵ２２は、ＬＡＮ  Ｉ／Ｆ２１がデータを受信したことを検知して、ＬＡＮ  Ｉ／Ｆ２１を制御する。ＣＰＵ２２により制御されたＬＡＮ  Ｉ／Ｆ２１は、データ入力割り込み信号Ｓｇ１２を“Ｌ”レベルでフリップフロップ回路２７に出力する（ステップＳ１０２）。これにより、フリップフロップ回路２７は「リセット処理」をし、パワーセーブ−Ｐ信号Ｓｇ５を“Ｌ”レベルで電源部６およびＡＮＤ回路８に出力する（ステップＳ１０３）。
【００４３】
その結果、電源部６の２４Ｖ電源部６１と第１の５Ｖ電源部６２とはＯＮとなり、それぞれの電源電圧が所定の最高電圧レベル（２４Ｖ、５Ｖ）まで立ち上がる（ステップＳ１０４）。これにより、画像処理部２９には、２４Ｖの電圧が印加される。
そして、ＣＰＵ２２が起動完了通知をＬＡＮ  Ｉ／Ｆ２１に出力する（ステップＳ１０５）。
【００４４】
次に、ＬＡＮ  Ｉ／Ｆ２１がＰＣ１（図１）から（印刷ジョブを含む）データを受信したときに、ＣＰＵ２２は、その受信データをＲＡＭ２５に記憶させる（ステップＳ１０６）。そして、ＣＰＵ２２は、ＲＡＭ２５に記憶した受信データに印刷データが含まれているか否かを判定する（ステップＳ１０７）。ここで、受信データに印刷データが含まれていなければ（ステップＳ１０７，Ｎｏ）、制御部４は、処理を終了する。
【００４５】
一方、受信データに印刷データが含まれていれば（ステップＳ１０７，Ｙｅｓ）、ＣＰＵ２２は、その受信データから印刷データ（画像データＧｄを含む）を抽出する。そして、ＣＰＵ２２は、印刷部５に、ＦＩＦＯ回路２６を介して印刷制御信号Ｓｇ１を出力し、画像処理部２９を介して画像データＧｄを出力する（ステップＳ１０８）。そして、制御部４は、処理を終了する。
以上のように、『低消費電力モード』から『通常モード』への移行が行われる。
これにより、画像データＧｄおよび印刷制御信号Ｓｇ１を取得した印刷部５は、給紙トレイより紙などの記録媒体３３を給紙し、その記録媒体３３へ印刷を行う。
【００４６】
（通常モード）
次に、通常モードであるときの処理動作について説明する。
『通常モード』であるときに、ＣＰＵ２２は、前回、ＬＡＮ  Ｉ／Ｆ２１がデータ（パケットデータ）を受信してから所定の待機時間が経過したときに（ステップＳ１１１）、ＣＰＵ２２は、『通常モード』から『低消費電力モード』への移行を行うための割り込み処理を行う。
なお、待機時間の経過は、印刷装置２が備えるタイマ部（図示しない）を用いて計時する。タイマ部は、ＣＰＵ２２が、印刷部５に画像データＧｄおよび印刷制御信号Ｓｇ１を前回出力したタイミングからの経過時間を計測することにより所定の待機時間が経過したか否かを判定する。
【００４７】
そして、ＣＰＵ２２は、『通常モード』から『低消費電力モード』への移行を次のように行う。
まず、ＣＰＵ２２は、パワーセーブ−Ｎ信号Ｓｇ１３を“Ｌ”レベルでフリップフロップ回路２７に出力する（ステップＳ１１２）。これにより、フリップフロップ回路２７は「セット処理」をし、パワーセーブ−Ｐ信号Ｓｇ５を“Ｈ”レベルで電源部６およびＡＮＤ回路８に出力する（ステップＳ１１３）。
その結果、電源部６の２４Ｖ電源部６１と第１の５Ｖ電源部６２とはＯＦＦとなり、それぞれの電源電圧が所定の最低電圧レベルまで立ち下がる（ステップＳ１１４）。そして、制御部４は、処理を終了する。
以上のように、『通常モード』から『低消費電力モード』への移行が行われる。
【００４８】
ここで、所定の電圧（０Ｖ近辺）まで立ち下がったとき、コンパレータ７は、コンパレータ出力信号Ｓｇ３を“Ｈ”レベルでＡＮＤ回路８に出力する。また、制御部４（フリップフロップ回路２７）は、ステップＳ１１１の処理にて、ＡＮＤ回路８に、パワーセーブ−Ｐ信号Ｓｇ５を“Ｈ”レベルで出力する。そのため、ＡＮＤ回路８に入力される２つの信号はともに“Ｈ”レベルであるので、ＡＮＤ回路８は、論理信号（ゲート信号Ｓｇ４）を“Ｈ”レベルで出力する。これにより、Ｎチャネル型のＭＯＳＦＥＴ９はＯＮする。
【００４９】
そして、ＭＯＳＦＥＴ９がＯＮとなることにより、コンデンサ１１に蓄えられた電荷は、抵抗器１０を介してグラウンド（ground）に放出される。これにより、２４Ｖ電源部６１の出力電圧Ｖ１の電圧は急速に下がり、最低電圧レベルまで低下する。また、第１の５Ｖ電源部６２の出力電圧Ｖ２は、２４Ｖ電源部６１の出力電圧Ｖ１を降圧した電源である。そのため、第１の５Ｖ電源部６２の出力電圧Ｖ２の電圧も急速に下がり、最低電圧レベルまで低下する。
【００５０】
以上により、本発明によれば、低消費電力モード時に、制御部４や印刷部５に印加される電圧（２４Ｖ電源部６１の出力電圧Ｖ１および第１の５Ｖ電源部６２の出力電圧Ｖ２）を急速に下げることができるため、制御部４や印刷部５に安定した電圧が印加されるまでの時間を短縮することができる。これにより、画像処理部２９のリセットが安定的に行われる。制御部４は、低消費電力モードが実行されている場合であっても、安定した電力が供給されないために処理できずに、待たせていたデータの処理を行うまでの時間（データの待ち時間）を短縮させることができる。
【００５１】
図７は、図１に示す電源部の動作を示すタイムチャートである。
（時刻ｔ０）
時刻ｔ０において、利用者により主電源スイッチ（不図示）がＯＮに操作されて、印刷装置２が起動する。これにより、制御部４から電源部６に“Ｌ”レベルのパワーセーブ−Ｐ信号Ｓｇ５が出力されて、電源部６がＯＮされる。その結果、２４Ｖ電源部６１の出力電圧Ｖ１、第１の５Ｖ電源部６２の出力電圧Ｖ２、および第２の５Ｖ電源部６３の出力電圧Ｖ３が立ち上る。
このとき、時刻ｔ０から時刻ｔ１の期間において、２４Ｖ電源部６１の出力電圧Ｖ１の分圧電圧Ｖ１１が、基準電圧Ｖ０より低いため、コンパレータ７に印加される電圧（第２の５Ｖ電源部６３の出力電圧Ｖ３）も、通常印加される電圧値（５Ｖ）より低くなる。そのため、コンパレータ７は、動作が不安定な状態となっている（図７でドットで示す）。
【００５２】
（時刻ｔ１）
そして、時刻ｔ１において、２４Ｖ電源部６１の出力電圧Ｖ１の分圧電圧１１が基準電圧Ｖ０より高くなると、コンパレータ７は動作が安定する。その結果、コンパレータ７は、分圧電圧Ｖ１１が基準電圧Ｖ０より高いため、コンパレータ出力信号Ｓｇ３を“Ｌ”レベルで出力する。
（時刻ｔ２〜）
その後、時刻ｔ２において、２４Ｖ電源部６１、第１の５Ｖ電源部６２、および第２の５Ｖ電源部６３は、それぞれ定格電圧（最大電圧）を出力する（Ｖ１＝２５Ｖ、Ｖ２＝５Ｖ、Ｖ３＝５Ｖ）。
そして、時刻ｔ２以降の期間Ｔ３の期間において、印刷装置２により印刷処理動作が行われる。
【００５３】
（時刻ｔ４）
時刻ｔ４において、印刷処理動作が待機状態となる。
このとき、印刷装置２は低消費電力モードに移行する処理を行うため、制御部４は、パワーセーブ−Ｐ信号Ｓｇ５を“Ｈ”レベルで出力する。これにより、電源部６の２４Ｖ電源部６１および第１の５Ｖ電源部６２がＯＦＦになる。その結果、コンデンサ１１が徐々に放電するために、２４Ｖ電源部６１の出力電圧Ｖ１および第１の５Ｖ電源部６２の出力電圧Ｖ２は立ち下がり始める。
【００５４】
（時刻ｔ５）
時刻ｔ５において、２４Ｖ電源部６１の出力電圧Ｖ１の分圧電圧Ｖ１１が基準電圧Ｖ０の電圧より低下すると、コンパレータ７は、コンパレータ出力信号Ｓｇ３を“Ｈ”レベルで出力する。また、制御部４（フリップフロップ回路２７）は、ＡＮＤ回路８に、パワーセーブ−Ｐ信号Ｓｇ５を“Ｈ”レベルで出力する。そのため、ＡＮＤ回路８が出力する論理信号（ゲート信号Ｓｇ４）を“Ｈ”レベルでＭＯＳＦＥＴ９に出力する。これにより、ＭＯＳＦＥＴ９はＯＮする。
【００５５】
そして、ＭＯＳＦＥＴ９がＯＮとなることにより、時刻ｔ５において、コンデンサ１１に残っている電荷が、抵抗器１０を介してグラウンドへ急速放電される。そのため、２４Ｖ電源部６１の出力電圧Ｖ１および第１の５Ｖ電源部６２の出力電圧Ｖ２は、時刻ｔ４からの低下速度よりも、急速に低下する。
（時刻ｔ６〜）
その後、時刻ｔ６において、２４Ｖ電源部６１の出力電圧Ｖ１および第１の５Ｖ電源部６２の出力電圧Ｖ２は、０Ｖ近辺となる。
これにより、時刻ｔ６以降（期間Ｔ７）で、印刷装置２は、低消費電力モードとなる。
なお、期間Ｔ７においても、第２の５Ｖ電源部６３の出力電圧Ｖ３は定格電圧５Ｖである。
【００５６】
（時刻ｔ８）
時刻ｔ８において、低消費電力モードの印刷装置２では、ＬＡＮ  Ｉ／Ｆ２１がＰＣ１からデータを受信したことにより、ＬＡＮ  Ｉ／Ｆ２１がデータ入力割り込み信号Ｓｇ１２を出力する。これにより、フリップフロップ回路２７は「リセット処理」をし、パワーセーブ−Ｐ信号Ｓｇ５を“Ｌ”レベルで電源部６およびＡＮＤ回路８に出力する。
これによって、電源部６の２４Ｖ電源部６１と第１の５Ｖ電源部６２とはＯＮとなり、再び電源が立ち上がる。また、ＡＮＤ回路８は“Ｌ”レベルのゲート信号Ｓｇ４を出力する。そのため、時刻ｔ８において、ＭＯＳＦＥＴ９はＯＦＦとなるので、抵抗器１０の放電回路は接続されない。したがって、２４Ｖ電源部６１の出力電圧Ｖ１および第１の５Ｖ電源部６２の出力電圧Ｖ２が、通常の充電速度で立ち上がる。
【００５７】
（時刻ｔ９）
そして、時刻ｔ９において、２４Ｖ電源部６１の出力電圧Ｖ１の分圧電圧Ｖ１１が基準電圧Ｖ０より高くなる。これにより、コンパレータ７は“Ｌ”レベルのコンパレータ出力信号Ｓｇ３を出力する。しかし、ＡＮＤ回路８は“Ｌ”レベルのゲート信号Ｓｇ４を出力し続けているため、ＭＯＳＦＥＴ９はＯＦＦの状態を持続する。
【００５８】
（時刻ｔ１０〜）
やがて、時刻ｔ１０において、２４Ｖ電源部６１の出力電圧Ｖ１および第１の５Ｖ電源部６２の出力電圧Ｖ２は、定格電圧（最大電圧）まで立ち上がり、再起動される。
再起動後（時刻ｔ１０以降）の期間Ｔ１１においては、期間Ｔ３の期間と同様に印刷装置２により印刷処理動作が行われる。
【００５９】
《第１実施形態の効果》
以上説明したように、第１実施形態の画像形成装置では、電源回路に並列に挿入されたコンデンサ１１に蓄積された電荷を、低消費電力モードにおける電圧の立下り時のみにおいて抵抗器に消費させて電圧の立下り時間を短縮させることにより、データ入力割り込み信号を出力するまでの時間を短縮化させることができる。
また、第１の５Ｖ電源部６２の電圧が印加される画像処理部２９は、データ入力割り込み信号前に安定してリセットされる。
【００６０】
《立下り時間Ｔｘの考察》
以下に、具体的な効果として、低消費電力モード時においてコンデンサ１１に蓄積された電荷を抵抗器１０で消費させることにより電圧の立下りにかかる時間（立下り時間Ｔｘ）がどの程度短縮されるかを考察する。立下り時間Ｔｘは、図７においてｔ４〜ｔ６の期間に該当する。
電荷が十分に蓄積されたコンデンサ１１の両端の電圧ｅｃは次の式（１）で表される。
【００６１】
【数１】
2012056140.tif 000003
【００６２】
この式（１）を立下り時間Ｔｘの式に直すと、次の式（２）で表される。
【００６３】
【数２】
2012056140.tif 000004
【００６４】
ここで、電圧の立下り時間Ｔｘの短縮化の効果を考察するために、式（２）に具体的な数値を当てはめてみる。一例として、電源回路の電圧は（Ｅ＝）２４Ｖ、コンデンサ１１の総容量は（Ｃ＝）４７００μＦ、電力消費される抵抗器１０の抵抗値は（Ｒ＝）６００Ωであるとすると、立下り時間Ｔｘは次のようになる。なお、ここでは、電圧が２４Ｖから１Ｖまで下がったとき（ｅc＝１Ｖ）の立下り時間Ｔｘを求めることにする。
立下り時間Ｔｘ＝−ｌｎ（１／２４）×６００×４７００×１０−６＝８．９６ｓｅｃ
となる。
【００６５】
これに対して、抵抗器１０の抵抗値を（Ｒ＝）１００Ωにした場合の立下り時間Ｔｘは、
立下り時間Ｔｘ＝−ｌｎ（１／２４）×１００×４７００×１０−６＝１．４９ｓｅｃ
となる。
【００６６】
このようにして、低消費電力モード時において、コンデンサ１１の電荷を抵抗値の小さい抵抗器１０で消失させる回路により、電源回路の電圧降下を加速させることができるので、電源６を再起動させるまでの待ち時間も短縮化させることが可能となる。その結果、受信データの割り込み時の待ち時間を短縮化することができる。
なお、抵抗器１０の抵抗値の大きさは、ＭＯＳＦＥＴの定格電流容量との兼ね合いで決める必要があることは言うまでもない。
【００６７】
《第２実施形態》
前述の第１実施形態ではコンデンサ１１の電荷を抵抗器１０で消費させたが、第２実施形態ではコンデンサ１１の電荷を有効に利用する方法について説明する。
図８は、本発明の画像形成装置に適用される第２実施形態の印刷装置の一例を示す構成図である。すなわち、図８は、第１実施形態の図１の電子制御装置１００が抵抗器１０を備える代わりに、電子制御装置１０１がファン４０を備えたものである。第２実施形態の印刷装置２は、低消費電力モード時においてコンデンサ１１に蓄積された電荷をファン４０で消費させることにより、そのファン４０を駆動させて画像形成装置の内部を冷却する。したがって、第２実施形態の印刷装置２は、コンデンサに蓄積された電荷（放電エネルギ）を有効に利用することができる。
【００６８】
なお、ファン４０は２４Ｖから５Ｖまでの広い範囲で動作できるようになっているので、低消費電力モードにおける電圧立下り時にも、コンデンサ１１の放電エネルギを一層有効に利用することができる。また、ファン４０は画像形成装置の内部の温度を下げるために既設で取り付けてあるので、図１の抵抗器１０のように追加部品として取り付ける必要はない。なお、ファン４０以外の構成は、図１に示す第１実施形態と同じであり、低消費電力モードにおける電圧立下り時において、コンデンサ１１の充電エネルギを、抵抗器１０の代わりにファン４０に供給して、そのファン４０を回転させている。
以下、第１の実施形態と重複する説明は省略する。
【００６９】
《第２実施形態の効果》
第２実施形態では、抵抗器１０でコンデンサ１１のエネルギを消費させる代わりに、ファン４０を回転させて有効に利用する。また、ファン４０によって発生する風力によって画像形成装置の内部の温度を下げる働きがある。
ここで、具体的な効果として、低消費電力モード時においてコンデンサ１１に蓄積された電荷をファン４０で消費させることにより電圧の立下り時間Ｔｘがどの程度短縮されるかを考察してみる。効果を考察するには、具体的な数値を当てはめて考察する。
【００７０】
電源回路の電圧が２４Ｖで、コンデンサの総容量が４７００μＦであり、ファン４０は２４Ｖ駆動で消費電流が０．１Ａであるとすれば、電圧の立下り時間Ｔｘは次のようになる。なお、ここでは、ファン４０の最低動作電圧が５Ｖであるので、電圧が２４Ｖから５Ｖまで下がったときの電圧の立下り時間Ｔｘを求めることにする。
立下り時間Ｔｘ＝ｌｎ（５／２４）×（２４／０．１）×４７００×１０−６＝１．７７ｓｅｃ
【００７１】
すなわち、前述の第１実施形態で考察した抵抗器１０の抵抗値が６００Ωの場合における電圧の立下り時間Ｔｘは８．９６ｓｅｃであるのに対して、ファン４０によってコンデンサ１１のエネルギを有効利用することにより、電圧の立下り時間Ｔｘは１．７７ｓｅｃとなるため、電圧の立下り時間を８０％近く短縮することができる。
以上により、低消費電力モードの電圧立下り時において、ファン４０は２秒間ほど回転し、画像形成装置の内部を冷却することができる。
【００７２】
以上、本発明を２つの実施形態に基づき具体的に説明したが、本発明は前記の各実施形態に限定されるものではなく、その要旨を逸脱しない範囲で種々変更可能である。
例えば、低消費電力モードの電圧立下り時に電源回路に並列に接続されたコンデンサに放電させる手段は、抵抗器やファンだけではなく、ランプや低消費電力モードである旨を報知するためのディスプレイやスピーカなどであってもよい。このようにして、低消費電力モードの電圧立下り時において、コンデンサの放電エネルギを有効に利用できる負荷に消費させることにより、放電エネルギの再利用を行うことが可能となる。
【産業上の利用可能性】
【００７３】
本発明係る電子制御装置によれば、省電力モードを備えた機器において、頻繁に電源６をＯＮ／ＯＦＦする様々な電子機器装置に有効に利用することができる。例えば、前述の各実施形態では印刷装置に応用したが、ＰＣ、複写機や複合機などの各種装置にも有効に利用することができる。
【符号の説明】
【００７４】
１      パーソナルコンピュータ（ＰＣ）
２      印刷装置（画像形成装置）
３      ＬＡＮケーブル
４      制御部
５      印刷部（動作部）
６      電源部
７      コンパレータ（電圧監視部）
８      ＡＮＤ回路（電圧監視部）
９      ＭＯＳＦＥＴ（開閉部）
１０    抵抗器（負荷部）
１１    コンデンサ
１２    電池
１３，１４  抵抗器
６１    ２４Ｖ電源部（第１の電力供給部）
６２    第１の５Ｖ電源部（第１の電力供給部）
６３    第２の５Ｖ電源部（第２の電力供給部）
Ｇｄ    画像データ
Ｓｇ１  印刷制御信号
Ｓｇ３  コンパレータ出力信号
Ｓｇ４  ゲート信号
Ｓｇ５  パワーセーブ−Ｐ信号
【図１】
2012056140.tif 000005
【図２】
2012056140.tif 000006
【図３】
2012056140.tif 000007
【図４】
2012056140.tif 000008
【図５】
2012056140.tif 000009
【図６】
2012056140.tif 000010
【図７】
2012056140.tif 000011
【図８】
2012056140.tif 000012